(57)【要約】      （修正有）【課題】軟質性合成樹脂製袋の開口部を確実に封止して長期保存を達成することができるクリップを提供する。【解決手段】ヒンジ部を介して蓋体２との間に開閉自在に成る台体１の長手方向中央部に通孔４を設け、この通孔に沿って左右両側部に突起５，５を設け、台体の長手方向の左右両辺部には台体の底面部より下側方に及ぶ縁起部６，６を設け、台体の他端部に設けた摘み片には開口部を設け、蓋体の他端部に設けた係止片が台体の摘み片の開口部に係合し得るようにし、蓋体の長手方向中央部に台体の通孔に貫通する長さの突条１０を設け、この突条をはさんだ左右両側部に小突起１１，１１を設け、蓋体の長手方向の左右両辺部には蓋縁部１２，１２を設け、蓋体の平面部の日付欄１５に沿って摺動する指示針１４，１４を蓋体の左右両側面部に設ける。【選択図】図４
0003102224.tif 000002
【実用新案登録請求の範囲】
【請求項１】
ヒンジ部を介して蓋体との間に開閉自在に成る台体の長手方向中央部に通孔を設け、この通孔に沿って左右両側部に突起を設け、前記台体の長手方向の左右両辺部には台体の底面部より下側方に及ぶ縁起部を設け、前記台体の他端部に設けた摘み片には開口部を設け、前記蓋体の他端部に設けた係止片が前記台体の摘み片の開口部に係合し得るようにし、前記蓋体の長手方向中央部に前記台体の通孔に貫通する長さの突条を設け、この突条をはさんだ左右両側部に小突起を設け、前記蓋体の長手方向の左右両辺部には蓋縁部を設け、蓋体の平面部には日付欄を設け、この日付欄に沿った蓋体の左右両側面部に指示針を摺動し得るように設けて成ることを特徴とする袋封止用クリップ。
【考案の詳細な説明】
【技術分野】
【０００１】
本考案は、袋封止用のクリップに関するものであり、軟質性合成樹脂製袋の開口部を確実に封止して保存するクリップに関するものである。
【背景技術】
【０００２】
従来、同一の目的を達成するために、例えば特開２０００−２２９６４８号、特開２００３−７２７７８号、実登第３００７８２３号のごとき発明考案が知られているが、いずれも袋開口部に対する封止力と緊張持続性に欠ける不完全なものであったため、長期保存の達成のためのクリップとしては欠点があった。
【０００３】
【特許文献１】特開２０００−２２９６４８号公報
【特許文献２】特開２００３−７２７７８号公報
【特許文献３】登録実用新案第３００７８２３号公報
【考案の開示】
【考案が解決しようとする課題】
【０００４】
そこで、本考案はこのような従来物の欠点を一掃することを目的に、収容袋の封止を確実に行って、長期間安全に耐えられるものを提供するものである。
【課題を解決するための手段】
【０００５】
本考案は、ヒンジ部を介して蓋体との間に開閉自在に成る台体の長手方向中央部に通孔を設け、この通孔に沿って左右両側部に突起を設け、前記台体の長手方向の左右両辺部には台体の底面部より下側方に及ぶ縁起部を設け、前記台体の他端部に設けた摘み片には開口部を設け、前記蓋体の他端部に設けた係止片が前記台体の摘み片の開口部に係合し得るようにし、前記蓋体の長手方向中央部に前記台体の通孔に貫通する長さの突条を設け、この突条をはさんだ左右両側部に小突起を設け、前記蓋体の長手方向の左右両辺部には蓋縁部を設け、蓋体の平面部には日付欄を設け、この日付欄に沿った蓋体の左右両側面部に指示針を摺動し得るように設けて成るものである。
【考案の効果】
【０００６】
第１に、各種のものを収容保存するために軟質合成樹脂製の袋体の開口部を一時的に封止しておくためのクリップは、蓋体の閉口時に蓋体の長手方向中央部に設けた突条が、台体側の通孔を貫通するように嵌着するものであるから、滑り易さのある袋体開口部を確実に封閉状態に保持することができるし、また蓋体の開口時には袋体開口部は確実に復元することができる。
【０００７】
第２に、蓋体の見易い平面部に日付欄を設け、これを指示するインジケーターとなる指示針をその側面部に沿って用意しているから、使用者はきわめて簡単な操作によって確実に日付を確認して使用することができる。
【考案を実施するための最良の形態】
【０００８】
いまユーザーは、食品等を収容した袋の開口部を保存のために封止するときは、台体の左右の突起部上に袋ａの開口部付近を位置しておいた後、蓋体を台体に向って閉口して嵌合すると、袋は図４に示すような上下の状態に曲折した状態になるから、袋開口部は完全に封止されることになる。
【０００９】
また、ユーザーは日付欄を見て収容した最初の保存日に指示針を移動し、毎日この保存日を確認しながら移動していくようにする。
【実施例】
【００１０】
本考案のクリップ全体は、台体１と蓋体２とがヒンジ部３を介して開閉自在に成る。
【００１１】
４は前記台体１の長手方向中央部に形成した通孔で、この通孔をはさんで左右両側部には突起５，５を設ける。
【００１２】
６，６は前記台体１の長手方向の左右両辺部に形成した縁起部で、この縁起部は台体の底面部１'から下側方に及んで突設する。
【００１３】
７は前記台体１の他端部に設けた摘み片で、弾力性を有するこの摘み片には開口部８を設ける。
【００１４】
９は前記蓋体２の他端部に設けた係止片で、この係止片は前記台体１の閉口時に摘み片７の開口部８に係合する。
【００１５】
１０は前記台体１の通孔４に対向する位置の蓋体２の中央部長手方向に設けた突条で、この突条は前記通孔４に貫通突入するようになる。
【００１６】
１１，１１は前記突条１０をはさんだ左右両側部に設けた小突起で、この小突起は蓋体２の閉口時に台体１側の突起５，５に接するようになる。
【００１７】
１２，１２は前記蓋体２の閉口時に前記台体１の両側縁起部６，６に接するようになる蓋縁部である。
【００１８】
１３，１３は前記蓋体２の左右両側面部に設けた軌条で、この軌条には指示針１４，１４を摺動し得るように設ける。
【００１９】
１５は前記蓋体２の平面部に設けた１〜３１の数字から成る日付欄で、この日付欄の表示は、全体の大きさをより小さく構成するクリップにあっては、部分的に数字に代えて目盛にしてもよい。
【００２０】
ａは袋部分を示す。
【図面の簡単な説明】
【００２１】
【図１】全体の使用前の斜視図
【図２】全体の使用時の斜視図
【図３】全体の平面図
【図４】図３Ａ−Ａ線の拡大断面図
【図５】全体の展開時の斜視図
【符号の説明】
【００２２】
１                台体
２                蓋体
３                ヒンジ部
４                通孔
５，５            突起
６，６            縁起部
７                摘み片
８                開口部
９                係止片
１０              突条
１１，１１        小突起
１２，１２        蓋縁部
１３，１３        軌条
１４，１４        指示針
【図１】
0003102224.tif 000003
【図２】
0003102224.tif 000004
【図３】
0003102224.tif 000005
【図４】
0003102224.tif 000006
【図５】
0003102224.tif 000007
【手続補正書】
【提出日】平成15年12月12日(2003.12.12)
【手続補正１】
【補正対象書類名】図面
【補正対象項目名】図３
【補正方法】変更
【補正の内容】
【図３】
0003102224.tif 000008
【手続補正２】
【補正対象書類名】図面
【補正対象項目名】図５
【補正方法】変更
【補正の内容】
【図５】
0003102224.tif 000009